(57)【要約】      （修正有）【課題】周辺環境に応じた文字板のデザインを簡便に得ることができる時計システムおよび時計システムの表示方法を提供する。【解決手段】時計システム１は、時刻を表示可能な文字板１７と、画像情報を取得する画像情報取得部１８Ａ２と、文字板１７に時刻を表示させる制御を行う表示制御部１８Ａ４であって、画像情報取得部１８Ａ２が取得した画像情報から抽出した色情報に基づく色を文字板１７に表示させる制御を行う表示制御部１８Ａ４と、を備える。【選択図】図１
2019086341.tif 000002
【特許請求の範囲】
【請求項１】
時刻を表示可能な文字板と、
画像情報を取得する画像情報取得部と、
前記文字板に時刻を表示させる制御を行う表示制御部であって、前記画像情報取得部が取得した前記画像情報から抽出した色情報に基づく色を前記文字板に表示させる制御を行う表示制御部と、
を備える時計システム。
【請求項２】
前記画像情報に含まれる前記色情報を抽出する色情報抽出部であって、近似色毎にグルーピングする色情報抽出部をさらに備える
請求項１に記載の時計システム。
【請求項３】
前記画像情報に含まれる輪郭情報を抽出する輪郭情報抽出部と、
前記文字板に表示可能な複数の表示デザインを記憶する記憶部と、をさらに備え、
前記記憶部は、前記輪郭情報と前記表示デザインとの対応関係を記憶し、
前記表示制御部は、
前記輪郭情報抽出部が抽出する前記輪郭情報と、前記記憶部が記憶する前記対応関係とに基づいて設定した前記表示デザインに対し、前記色情報に基づく色を配色することによって、着色された前記表示デザインを前記文字板に表示させる制御を行う
請求項１又は請求項２に記載の時計システム。
【請求項４】
前記文字板と前記表示制御部とが備えられた時計本体部と、
前記時計本体部と通信可能な端末装置と、をさらに備え、
前記端末装置は、前記文字板に表示される前記表示デザインのユーザーによる選択操作を予め受け付ける設定部を備える
請求項３に記載の時計システム。
【請求項５】
前記複数の表示デザインには、少なくとも第１表示デザインと、前記第１表示デザインの面積よりも小さい面積を有する第２表示デザインとが含まれ、
前記第１表示デザインと前記第２表示デザインとが前記文字板に表示される場合に、
前記画像情報取得部が取得した前記画像情報を有する画像には、前記表示制御部によって前記第１表示デザインに配色される第１色と、前記表示制御部によって前記第２表示デザインに配色される第２色とが含まれており、
前記画像中における前記第１色の割合は、前記画像中における前記第２色の割合よりも大きい、
請求項３又は請求項４に記載の時計システム。
【請求項６】
前記画像情報取得部は、前記画像情報取得部が取得した前記画像情報を有する画像に含まれるオブジェクトを識別する画像認識機能を有し、
前記画像情報取得部が取得した前記画像情報を有する前記画像に第１オブジェクトが含まれる場合に、前記表示制御部は、前記第１オブジェクトに対応する第３表示デザインを前記文字板に表示させる制御を行い、
前記画像情報取得部が取得した前記画像情報を有する前記画像に前記第１オブジェクトとは異なる第２オブジェクトが含まれる場合に、前記表示制御部は、前記第３表示デザインとは異なる第４表示デザインであって、前記第２オブジェクトに対応する第４表示デザインを前記文字板に表示させる制御を行う
請求項３又は請求項４に記載の時計システム。
【請求項７】
前記画像情報取得部は、前記画像情報取得部が取得した前記画像情報を有する画像に、互いに近似した形状を有する複数のオブジェクトが含まれる場合に、前記複数のオブジェクトが模様であると判断する機能を有し、
前記複数のオブジェクトが前記模様であると前記画像情報取得部が判断した場合に、
前記画像情報取得部は、前記画像情報から模様情報を抽出し、
前記表示制御部は、前記模様情報を反映させた表示を前記文字板に行わせる制御を行う
請求項１から請求項４のいずれか一項に記載の時計システム。
【請求項８】
前記表示制御部は、
第１の時刻または季節に、前記画像情報から抽出した前記色情報に基づいて、第１の色を前記文字板に表示させる制御を行い、
前記第１の時刻または季節とは異なる第２の時刻または季節に、前記画像情報から抽出した前記色情報に基づいて、前記第１の色とは彩度または明度が異なる第２の色を前記文字板に表示させる制御を行う
請求項１から請求項４のいずれか一項に記載の時計システム。
【請求項９】
前記文字板と前記表示制御部とが備えられた時計本体部と、
前記時計本体部と通信可能な端末装置と、をさらに備え、
前記端末装置は、前記画像情報を有する画像を撮影する撮影部と、前記画像情報取得部と、画像生成部と、を備え、
前記画像情報取得部は、前記撮影部が撮影した前記画像に含まれる前記画像情報を取得すると共に、前記画像情報に含まれる前記輪郭情報と前記色情報とを抽出し、
前記画像生成部は、前記輪郭情報と前記色情報とに基づいて前記表示デザインに関する情報である表示デザイン情報を生成し、
前記端末装置は、前記表示デザイン情報を前記時計本体部に送信し、
前記表示制御部は、前記時計本体部が受信した前記表示デザイン情報に基づいて、前記表示デザインを前記文字板に表示させる制御を行う
請求項３に記載の時計システム。
【請求項１０】
前記時刻は指針により表示可能である
請求項１から請求項９のいずれか一項に記載の時計システム。
【請求項１１】
前記文字板は、電子ペーパーを有し、
前記表示制御部は、前記画像情報取得部が取得した前記画像情報から抽出した前記色情報に基づく色を前記電子ペーパーに表示させる制御を行う
請求項１から請求項１０のいずれか一項に記載の時計システム。
【請求項１２】
前記文字板と前記表示制御部とが備えられた時計本体部をさらに備え、
前記画像情報取得部は、前記時計本体部に備えられている
請求項１から請求項３のいずれか一項に記載の時計システム。
【請求項１３】
前記文字板と前記表示制御部とが備えられた時計本体部と、
前記時計本体部と通信可能な端末装置と、をさらに備え、
前記画像情報取得部は、前記端末装置に備えられている
請求項１から請求項３のいずれか一項に記載の時計システム。
【請求項１４】
見切部と、
時刻を表示する指針および文字板と、
前記指針を駆動するモータと、を備え、
前記文字板は、電子ペーパーを有し、
前記見切部と前記指針と前記電子ペーパーと前記モータとは、前記見切部、前記指針、前記電子ペーパー、前記モータの順に配列されている
時計システム。
【請求項１５】
時刻を表示可能な文字板を備える時計システムの表示方法であって、
画像情報を取得する画像情報取得ステップと、
前記文字板に時刻を表示させる時刻表示ステップと、
前記画像情報取得ステップにおいて取得された前記画像情報から色情報を抽出する色情報抽出ステップと、
前記色情報抽出ステップにおいて抽出された前記色情報に基づく色を前記文字板に表示させる色表示ステップと
を含む時計システムの表示方法。
【発明の詳細な説明】
【技術分野】
【０００１】
本発明は、時計システムおよび時計システムの表示方法に関する。
【背景技術】
【０００２】
高精細な液晶を備えたデジタル時計において、時計表示のデザインや配色をユーザーが選択変更できる機能や、ユーザーが撮影した写真を時刻の背後に表示する機能がある。また、針式のアナログ時計において、文字盤に液晶パネルを搭載することで、外部から文字盤の表示を書換え可能な技術がある（例えば、特許文献１参照）。
【先行技術文献】
【特許文献】
【０００３】
【特許文献１】特開２００２−１４９１２４号公報
【発明の概要】
【発明が解決しようとする課題】
【０００４】
しかしながら、特許文献１の液晶モジュールでは、液晶パネルに表示させたい表示情報を情報入力部から入力する必要がある。詳細には、特許文献１の液晶モジュールでは、その日の服装や、その場の雰囲気を反映したデザインを行いたい場合に、日毎の各種操作やデザイン作業、あるいは、機会毎の各種操作やデザイン作業が必要となる。そのため、特許文献１の液晶モジュールでは、表示内容を頻繁に行うことが難しい。また、指定した画像を配置する場合には、必ずしも時計に適したデザインになるとは限らない。
【０００５】
上述した問題点に鑑み、本発明は、周辺環境に応じた文字板のデザインを簡便に得ることができる時計システムおよび時計システムの表示方法を提供することを目的とする。
【課題を解決するための手段】
【０００６】
本発明の一態様に係る時計システムは、時刻を表示可能な文字板と、画像情報を取得する画像情報取得部と、前記文字板に時刻を表示させる制御を行う表示制御部であって、前記画像情報取得部が取得した前記画像情報から抽出した色情報に基づく色を前記文字板に表示させる制御を行う表示制御部と、を備える。
【０００７】
また、本発明の一態様に係る時計システムでは、前記画像情報に含まれる前記色情報を抽出する色情報抽出部であって、近似色毎にグルーピングする色情報抽出部をさらに備えてもよい。
【０００８】
また、本発明の一態様に係る時計システムは、前記画像情報に含まれる輪郭情報を抽出する輪郭情報抽出部と、前記文字板に表示可能な複数の表示デザインを記憶する記憶部と、をさらに備え、前記記憶部は、前記輪郭情報と前記表示デザインとの対応関係を記憶し、前記表示制御部は、前記輪郭情報抽出部が抽出する前記輪郭情報と、前記記憶部が記憶する前記対応関係とに基づいて設定した前記表示デザインに対し、前記色情報に基づく色を配色することによって、着色された前記表示デザインを前記文字板に表示させる制御を行ってもよい。
【０００９】
また、本発明の一態様に係る時計システムは、前記文字板と前記表示制御部とが備えられた時計本体部と、前記時計本体部と通信可能な端末装置と、をさらに備え、前記端末装置は、前記文字板に表示される前記表示デザインのユーザーによる選択操作を予め受け付ける設定部を備えてもよい。
【００１０】
また、本発明の一態様に係る時計システムでは、前記複数の表示デザインには、少なくとも第１表示デザインと、前記第１表示デザインの面積よりも小さい面積を有する第２表示デザインとが含まれ、前記第１表示デザインと前記第２表示デザインとが前記文字板に表示される場合に、前記画像情報取得部が取得した前記画像情報を有する画像には、前記表示制御部によって前記第１表示デザインに配色される第１色と、前記表示制御部によって前記第２表示デザインに配色される第２色とが含まれており、前記画像中における前記第１色の割合は、前記画像中における前記第２色の割合よりも大きくてもよい。
【００１１】
また、本発明の一態様に係る時計システムでは、前記画像情報取得部は、前記画像情報取得部が取得した前記画像情報を有する画像に含まれるオブジェクトを識別する画像認識機能を有し、前記画像情報取得部が取得した前記画像情報を有する前記画像に第１オブジェクトが含まれる場合に、前記表示制御部は、前記第１オブジェクトに対応する第３表示デザインを前記文字板に表示させる制御を行い、前記画像情報取得部が取得した前記画像情報を有する前記画像に前記第１オブジェクトとは異なる第２オブジェクトが含まれる場合に、前記表示制御部は、前記第３表示デザインとは異なる第４表示デザインであって、前記第２オブジェクトに対応する第４表示デザインを前記文字板に表示させる制御を行ってもよい。
【００１２】
また、本発明の一態様に係る時計システムでは、前記画像情報取得部は、前記画像情報取得部が取得した前記画像情報を有する画像に、互いに近似した形状を有する複数のオブジェクトが含まれる場合に、前記複数のオブジェクトが模様であると判断する機能を有し、前記複数のオブジェクトが前記模様であると前記画像情報取得部が判断した場合に、前記画像情報取得部は、前記画像情報から模様情報を抽出し、前記表示制御部は、前記模様情報を反映させた表示を前記文字板に行わせる制御を行ってもよい。
【００１３】
また、本発明の一態様に係る時計システムでは、前記表示制御部は、第１の時刻または季節に、前記画像情報から抽出した前記色情報に基づいて、第１の色を前記文字板に表示させる制御を行い、前記第１の時刻または季節とは異なる第２の時刻または季節に、前記画像情報から抽出した前記色情報に基づいて、前記第１の色とは彩度または明度が異なる第２の色を前記文字板に表示させる制御を行ってもよい。
【００１４】
また、本発明の一態様に係る時計システムは、前記文字板と前記表示制御部とが備えられた時計本体部と、前記時計本体部と通信可能な端末装置と、をさらに備え、前記端末装置は、前記画像情報を有する画像を撮影する撮影部と、前記画像情報取得部と、画像生成部と、を備え、前記画像情報取得部は、前記撮影部が撮影した前記画像に含まれる前記画像情報を取得すると共に、前記画像情報に含まれる前記輪郭情報と前記色情報とを抽出し、前記画像生成部は、前記輪郭情報と前記色情報とに基づいて前記表示デザインに関する情報である表示デザイン情報を生成し、前記端末装置は、前記表示デザイン情報を前記時計本体部に送信し、前記表示制御部は、前記時計本体部が受信した前記表示デザイン情報に基づいて、前記表示デザインを前記文字板に表示させる制御を行ってもよい。
【００１５】
また、本発明の一態様に係る時計システムでは、前記時刻は指針により表示可能であってもよい。
【００１６】
また、本発明の一態様に係る時計システムでは、前記文字板は、電子ペーパーを有し、前記表示制御部は、前記画像情報取得部が取得した前記画像情報から抽出した前記色情報に基づく色を前記電子ペーパーに表示させる制御を行ってもよい。
【００１７】
また、本発明の一態様に係る時計システムは、前記文字板と前記表示制御部とが備えられた時計本体部をさらに備え、前記画像情報取得部は、前記時計本体部に備えられていてもよい。
【００１８】
また、本発明の一態様に係る時計システムは、前記文字板と前記表示制御部とが備えられた時計本体部と、前記時計本体部と通信可能な端末装置と、をさらに備え、前記画像情報取得部は、前記端末装置に備えられていてもよい。
【００１９】
また、本発明の一態様に係る時計システムは、見切部と、時刻を表示する指針および文字板と、前記指針を駆動するモータと、を備え、前記文字板は、電子ペーパーを有し、前記見切部と前記指針と前記電子ペーパーと前記モータとは、前記見切部、前記指針、前記電子ペーパー、前記モータの順に配列されている。
【００２０】
また、本発明の一態様に係る時計システムの表示方法は、時刻を表示可能な文字板を備える時計システムの表示方法であって、画像情報を取得する画像情報取得ステップと、前記文字板に時刻を表示させる時刻表示ステップと、前記画像情報取得ステップにおいて取得された前記画像情報から色情報を抽出する色情報抽出ステップと、前記色情報抽出ステップにおいて抽出された前記色情報に基づく色を前記文字板に表示させる色表示ステップとを含む。
【発明の効果】
【００２１】
本発明によれば、周辺環境に応じた文字板のデザインを簡便に得ることができる時計システムおよび時計システムの表示方法を提供することができる。
【図面の簡単な説明】
【００２２】
【図１】第１実施形態の時計システムの概略構成の一例を示す図である。
【図２】第１実施形態の時計システムが適用された腕時計の分解斜視図である。
【図３】透明テクスチャダイヤルと電子ペーパーとの関係の一例を示す断面図である。
【図４】第１実施形態の時計システムが適用された腕時計の第１例を説明するための図である。
【図５】第１実施形態の時計システムが適用された腕時計の第１例を説明するための図である。
【図６】第１実施形態の時計システムが適用された腕時計の第２例を説明するための図である。
【図７】パターン情報抽出部によって抽出される輪郭情報と、画像生成部によって生成される表示デザインとの対応関係を説明するための図である。
【図８】第１実施形態の時計システムが適用された腕時計の第３例を説明するための図である。
【図９】第１実施形態の時計システムが適用された腕時計の第３例を説明するための図である。
【図１０】第１実施形態の時計システムが適用された腕時計の第４例を説明するための図である。
【図１１】第２実施形態の時計システムの概略構成の一例を示す図である。
【図１２】第２実施形態の時計システムにおいて実行される処理を説明するためのシーケンス図である。
【発明を実施するための形態】
【００２３】
以下、本発明の時計システムおよび時計システムの表示方法の実施形態について、図面を参照しつつ説明する。
【００２４】
＜第１実施形態＞
図１は第１実施形態の時計システム１の概略構成の一例を示す図である。
図１に示す例では、時計システム１が、時計本体部１−１を備えている。時計本体部１−１は、指針１５と、文字板１７と、モジュール１８とを備えている。指針１５は、時刻を表示可能に構成されている。
図１に示す例では、指針１５が、時針１５Ａと、分針１５Ｂとを備えているが、他の例では、指針１５が、時針１５Ａと、分針１５Ｂと、秒針とをを備えていてもよい。
【００２５】
図１に示す例では、文字板１７が、時刻を表示可能に構成されている。つまり、指針１５と文字板１７とによって、時刻が表示される。文字板１７は、「ダイアル」とも呼ばれる。文字板１７は、電子ペーパー１７Ａ（詳細には、カラー電子ペーパー）を有する。電子ペーパー１７Ａとは、電気的に表示を行うディスプレイである。方式として、マイクロカプセル方式、電子粉流体方式、液晶方式、異なる波長の光を選択的に反射するコレステリック液晶層を使用して多色カラー表示を行うエレクトロウェッティング方式、電気泳動方式、有機物や無機物の酸化還元反応を利用した化学変化方式、等、適宜採用可能である。
モジュール１８は、指針１５および文字板１７の制御などを行う。モジュール１８は、制御部１８Ａと、指針１５を駆動するモータ１８Ｂとを備えている。
制御部１８Ａは、指針１５および文字板１７の制御を行う。制御部１８Ａは、処理部１８Ａ１と、画像情報取得部１８Ａ２と、画像生成部１８Ａ３と、表示制御部１８Ａ４と、記憶部１８Ａ５と、通信部１８Ａ６とを備えている。
処理部１８Ａ１は、指針１５の制御を行う。詳細には、処理部１８Ａ１は、モータ１８Ｂを制御することによって、指針１５を制御する。
【００２６】
画像情報取得部１８Ａ２は、画像情報を取得する。画像情報は、例えば時計本体部１−１の外部において、画像、写真などから生成される。画像情報取得部１８Ａ２は、色情報抽出部１８Ａ２１と、パターン情報抽出部１８Ａ２２とを備えている。
色情報抽出部１８Ａ２１は、画像情報に含まれる色情報を抽出する。詳細には、色情報抽出部１８Ａ２１は、画像に含まれる色の中から複数の色を選択する。また、色情報抽出部１８Ａ２１は、画像に含まれる色の割合に基づいて、選択した色の重み付けを行う。また、色情報抽出部１８Ａ２１は、画像に含まれる複数の異なる色を近似色（色差の近い色）毎にグルーピングする。例えば、色情報抽出部１８Ａ２１は、画像に含まれる色の割合を算出する場合に、グルーピングにより得られたグループ毎に色の割合の算出を行う。
パターン情報抽出部１８Ａ２２は、画像情報に含まれるパターン情報を抽出する。また、パターン情報抽出部１８Ａ２２は、画像認識技術を用いる。画像認識技術とは、画像情報の画像内容を分析し、画像内容が何であるかを認識する技術である。画像認識では、画像内の文字、顔などのオブジェクトの輪郭が抽出され、オブジェクトが背景から分離され、オブジェクトが何であるかが分析される。
つまり、パターン情報抽出部１８Ａ２２は、画像情報取得部１８Ａ２が取得した画像情報を有する画像に含まれるオブジェクトを識別する画像認識機能を有する。
パターン情報抽出部１８Ａ２２は、画像情報に含まれる輪郭情報を抽出する。また、パターン情報抽出部１８Ａ２２は、画像情報に含まれる模様情報を抽出する。
【００２７】
画像生成部１８Ａ３は、色情報抽出部１８Ａ２１によって抽出された色情報、パターン情報抽出部１８Ａ２２によって抽出された輪郭情報、模様情報などに基づいて、表示デザインを生成する。
例えば、画像情報取得部１８Ａ２が取得した画像情報を有する画像に和服の人物が含まれる場合に、画像生成部１８Ａ３は、和柄の模様が配置された表示デザインを生成する。
例えば、画像情報取得部１８Ａ２が取得した画像情報を有する画像に水玉模様が含まれる場合に、画像生成部１８Ａ３は、画像全体に対する水玉の大きさに基づくサイズ調整が行われた水玉の表示デザインを生成する。
例えば、画像情報取得部１８Ａ２が取得した画像情報を有する画像に夕焼けが含まれる場合に、画像生成部１８Ａ３は、グラデーションを有する表示デザインを生成する。
また、画像生成部１８Ａ３は、色情報抽出部１８Ａ２１によって抽出された色情報に基づく色を表示デザイン上に配置する。詳細には、画像生成部１８Ａ３は、複数の表示デザインのそれぞれに対し、色情報抽出部１８Ａ２１によって抽出された色情報に基づく色を配色する。複数の表示デザインのそれぞれに対する配色は、色情報抽出部１８Ａ２１が行った色の重み付けに対応して行われる。
【００２８】
図１に示す例では、表示制御部１８Ａ４が、文字板１７の電子ペーパー１７Ａに時刻を表示させる制御を行う。つまり、表示制御部１８Ａ４は、インデックスを文字板１７の電子ペーパー１７Ａに表示させる制御を行う。インデックスとは、時や分を示す目盛り、数字などである。
他の例では、インデックスが、電子ペーパー１７Ａに表示されるのではなく、電子ペーパー１７Ａに貼り付けられてもよい。
また、図１に示す例では、指針１５（実際の針）が時計本体部１−１に備えられているが、他の例では、指針１５を省略し、表示制御部１８Ａ４が指針（針の画像）を文字板１７の電子ペーパー１７Ａに表示させる制御を行ってもよい。
【００２９】
図１に示す例では、表示制御部１８Ａ４が、画像生成部１８Ａ３によって生成された表示デザインを文字板１７の電子ペーパー１７Ａに表示させる制御を行う。その結果、画像生成部１８Ａ３によって表示デザイン上に配置された色も、文字板１７の電子ペーパー１７Ａに表示される。つまり、表示制御部１８Ａ４は、着色された表示デザインを文字板１７の電子ペーパー１７Ａに表示させる制御を行う。すなわち、表示制御部１８Ａ４は、色情報抽出部１８Ａ２１によって抽出された色情報に基づく色を文字板１７の電子ペーパー１７Ａに表示させる制御を行う。
【００３０】
記憶部１８Ａ５は、文字板１７の電子ペーパー１７Ａに表示可能な複数の表示デザインを記憶する。詳細には、記憶部１８Ａ５は、パターン情報抽出部１８Ａ２２が抽出する輪郭情報と、画像生成部１８Ａ３が生成する表示デザインとの対応関係を記憶する。
つまり、図１に示す例では、画像生成部１８Ａ３が生成する表示デザインが、事前に登録され、記憶部１８Ａ５に記憶されている。
他の例では、画像生成部１８Ａ３が生成する表示デザインを、ユーザーが事前に指定してもよい。
【００３１】
図１に示す例では、上述した画像生成部１８Ａ３は、パターン情報抽出部１８Ａ２２が抽出する輪郭情報と、記憶部１８Ａ５が記憶する対応関係とに基づいて、表示デザインを設定する。また、画像生成部１８Ａ３は、その表示デザインに対し、色情報抽出部１８Ａ２１によって抽出された色情報に基づく色を配色する。また、上述した表示制御部１８Ａ４は、着色された表示デザインを文字板１７の電子ペーパー１７Ａに表示させる。
【００３２】
通信部１８Ａ６は、例えばＢｌｕｅｔｏｏｔｈ（登録商標）などの近距離無線通信によって、例えばスマートフォンなどの外部機器との通信を行う。通信部１８Ａ６は、例えば画像情報などを受信する。
【００３３】
図２は第１実施形態の時計システム１が適用された腕時計の分解斜視図である。
図２に示す例では、時計システム１が、カバーガラス１０と、ベゼル１１と、１２時側バンド１２Ａと、６時側のバンド１２Ｂとを備えている。ベゼル１１とは、風防の周りに取り付けられるリング状のパーツである。ベゼル１１は、見切部１１Ａを備えている。見切部１１Ａとは、例えば時刻表示の補足やマークなどが配置されたリング状の部分である。バンド１２Ａには、電子ペーパー１２Ａ１が備えられている。電子ペーパー１２Ａ１は、図１に示す電子ペーパー１７Ａと同様の表示機能を有する。電子ペーパー１２Ａ１によって表示される表示デザインは、画像生成部１８Ａ３によって生成される。
また、時計システム１は、外側ケース１３と、内側ケース１４とを備えている。外側ケース１３と内側ケース１４との間の３時側の部分には、電子ペーパー１３Ａが配置されている。外側ケース１３と内側ケース１４との間の９時側の部分には、電子ペーパー１３Ｂが配置されている。電子ペーパー１３Ａ、１３Ｂは、図１に示す電子ペーパー１７Ａと同様の表示機能を有する。外側ケース１３は、透明な材料によって形成されている。電子ペーパー１３Ａ、１３Ｂによって表示される表示デザインは、画像生成部１８Ａ３によって生成される。
【００３４】
また、図２に示す例では、時計システム１が、指針１５を備えている。指針１５は、時針１５Ａと、分針１５Ｂと、秒針１５Ｃとを備えている。
また、時計システム１は、透明テクスチャダイヤル１６と、電子ペーパー１７Ａを有する文字板１７と、モジュール１８と、裏蓋１９とを備えている。透明テクスチャダイヤル１６は、電子ペーパー１７Ａの表示に立体感を演出するためのものである。
見切部１１Ａと指針１５と電子ペーパー１７Ａとモジュール１８に含まれるモータ１８Ｂとは、図２の上側から見切部１１Ａ、指針１５、電子ペーパー１７Ａ、モータ１８Ｂの順に配列されている。
【００３５】
図３は透明テクスチャダイヤル１６と電子ペーパー１７Ａとの関係の一例を示す断面図である。
図３（Ａ）に示す例では、凹凸を有する立体的な透明テクスチャダイヤル１６が、電子ペーパー１７Ａの上面に形成されている（印刷されている）。透明テクスチャダイヤル１６は、例えばＵＶインクなどのような透明インクによって形成されており、光透過型である。ＵＶインクとは、紫外線が照射されることにより硬化するインクである。透明印刷を使用することによって、凹凸を有する透明テクスチャダイヤル１６を安価に形成することができる。
図３（Ｂ）に示す例では、凹凸を有する立体的な透明テクスチャダイヤル１６が、電子ペーパー１７Ａの上面に配置されている（貼り付けられている）。透明テクスチャダイヤル１６は、例えば模様付きガラスによって構成されており、光透過型である。模様付きガラスの模様は、例えば麻の葉文、菊繋文などである。模様付きガラスを形成するために、例えば江戸切子などのガラス加工技術を適用してもよい。
【００３６】
図４および図５は第１実施形態の時計システム１が適用された腕時計の第１例を説明するための図である。詳細には、図４（Ａ）は第１実施形態の時計システム１が適用された腕時計を示す図である。図４（Ｂ）は図４（Ａ）に示す時計システム１の画像情報取得部１８Ａ２によって取得される画像情報を有する画像ＩＭを示す図である。図５（Ａ）は図４（Ａ）に示す時計システム１の画像生成部１８Ａ３が生成した表示デザイン１７Ａ１を説明するための図である。図５（Ｂ）は図４（Ａ）に示す時計システム１の画像生成部１８Ａ３が生成した表示デザイン１７Ａ２を説明するための図である。図５（Ｃ）は図４（Ａ）に示す時計システム１の画像生成部１８Ａ３が生成した表示デザイン１７Ａ３を説明するための図である。図５（Ｄ）は図４（Ａ）に示す時計システム１の画像生成部１８Ａ３が生成した表示デザイン１７Ａ４を説明するための図である。
【００３７】
図４（Ａ）に示す例では、指針１５が、時針１５Ａと分針１５Ｂとを備えている。電子ペーパー１７Ａは、複数の表示デザイン１７Ａ１、１７Ａ２、１７Ａ３、１７Ａ４を表示している。
図４（Ｂ）に示す例では、図４（Ａ）に示す時計システム１の画像情報取得部１８Ａ２によって取得される画像情報を有する画像ＩＭが、青空ＩＭ１と、夕日ＩＭ２と、海ＩＭ３と、雲ＩＭ４とを含む。色情報抽出部１８Ａ２１は、画像ＩＭの情報から、青空ＩＭ１の色Ａの情報と、夕日ＩＭ２の色Ｂの情報と、海ＩＭ３の色Ｃの情報と、雲ＩＭ４の色Ｄの情報とを抽出する。
図５（Ａ）に示す例では、画像生成部１８Ａ３が、表示デザイン１７Ａ１に対して青空ＩＭ１の色Ａを配色する。
図５（Ｂ）に示す例では、画像生成部１８Ａ３が、表示デザイン１７Ａ２に対して夕日ＩＭ２の色Ｂを配色する。
図５（Ｃ）に示す例では、画像生成部１８Ａ３が、表示デザイン１７Ａ３に対して海ＩＭ３の色Ｃを配色する。
図５（Ｄ）に示す例では、画像生成部１８Ａ３が、表示デザイン１７Ａ４に対して雲ＩＭ４の色Ｄを配色する。
【００３８】
図４および図５に示す例では、電子ペーパー１７Ａが表示する複数の表示デザインに、表示デザイン１７Ａ１と、表示デザイン１７Ａ２とが含まれる。
画像情報取得部１８Ａ２が取得した画像情報を有する画像ＩＭには、画像生成部１８Ａ３によって表示デザイン１７Ａ１に配色され、表示制御部１８Ａ４が電子ペーパー１７Ａに表示させる色Ａが含まれる。また、画像情報取得部１８Ａ２が取得した画像情報を有する画像ＩＭには、画像生成部１８Ａ３によって表示デザイン１７Ａ２に配色され、表示制御部１８Ａ４が電子ペーパー１７Ａに表示させる色Ｂが含まれる。
図４（Ａ）に示すように、表示デザイン１７Ａ１と、表示デザイン１７Ａ１の面積よりも小さい面積を有する表示デザイン１７Ａ２とが文字板１７の電子ペーパー１７Ａに表示される場合に、画像ＩＭ中における色Ａの割合は、画像ＩＭ中における色Ｂの割合よりも大きい。
つまり、電子ペーパー１７Ａにおける表示デザイン１７Ａ１、１７Ａ２、１７Ａ３、１７Ａ４の面積の広い順に、画像ＩＭの中で割合の多い色が適用される。
【００３９】
上述したように、画像生成部１８Ａ３が生成する表示デザイン１７Ａ１、１７Ａ２、１７Ａ３、１７Ａ４は、事前に登録されて記憶部１８Ａ５に記憶されているか、あるいは、ユーザーによって選択される（事前に指定される）。表示デザイン１７Ａ１、１７Ａ２、１７Ａ３、１７Ａ４に対して配置される色Ａ、Ｂ、Ｃ、Ｄは、画像ＩＭから抽出される。画像ＩＭは、ユーザーによって撮影されたものでも、ユーザーによって入手されて選択されたものでもよい。画像ＩＭからの色Ａ、Ｂ、Ｃ、Ｄの抽出、および、表示デザイン１７Ａ１、１７Ａ２、１７Ａ３、１７Ａ４に対する色Ａ、Ｂ、Ｃ、Ｄの配置は、時計システム１によって自動で行われる（つまり、ユーザーは機会毎に操作しなくてもよい）。
【００４０】
詳細には、図４（Ｂ）に示す例では、海ＩＭ３に、夕日ＩＭ２の光を反射する明るい色の部分と、陰になっている暗い色の部分とが存在する。色情報抽出部１８Ａ２１は、夕日ＩＭ２の光を反射する明るい色と、陰になっている暗い色とを、近似色Ｃによってグルーピングする。画像生成部１８Ａ３は、その近似色Ｃを表示デザイン１７Ａ３に配色する。表示制御部１８Ａ４は、近似色Ｃが着色された表示デザイン１７Ａ３を文字板１７の電子ペーパー１７Ａに表示させる制御を行う。
【００４１】
図６は第１実施形態の時計システム１が適用された腕時計の第２例を説明するための図である。詳細には、図６（Ａ）は画像情報取得部１８Ａ２によって人物の画像情報が取得される例を説明するための図である。図６（Ｂ）は画像情報取得部１８Ａ２によって風景の画像情報が取得される例を説明するための図である。
図６（Ａ）に示す例では、画像情報取得部１８Ａ２が人物の画像情報を取得する場合に、パターン情報抽出部１８Ａ２２は、画像認識技術により、その人物が着用している服を分析する。
その人物が洋服を着用している場合に、パターン情報抽出部１８Ａ２２は、画像認識技術により、その洋服の模様を分析する。
その洋服の模様がチェックである場合に、画像生成部１８Ａ３は、チェックの表示デザインを生成し、表示制御部１８Ａ４は、チェックの表示デザインを電子ペーパー１７Ａに表示させる制御を行う。
一方、その洋服の模様がドットである場合に、画像生成部１８Ａ３は、ドットの表示デザインを生成し、表示制御部１８Ａ４は、ドットの表示デザインを電子ペーパー１７Ａに表示させる制御を行う。
その人物が和服を着用している場合に、パターン情報抽出部１８Ａ２２は、画像認識技術により、その和服の模様を分析する。
その和服の模様が菊模様である場合に、画像生成部１８Ａ３は、菊模様の表示デザインを生成し、表示制御部１８Ａ４は、菊模様の表示デザインを電子ペーパー１７Ａに表示させる制御を行う。
【００４２】
つまり、図６（Ａ）に示す例では、画像情報取得部１８Ａ２のパターン情報抽出部１８Ａ２２は、画像情報取得部１８Ａ２が取得した画像情報を有する画像に含まれるオブジェクトを識別する画像認識機能を有する。画像情報取得部１８Ａ２が取得した画像情報を有する画像にチェックの模様が含まれる場合に、表示制御部１８Ａ４は、チェックの模様に対応するチェックの表示デザインを文字板１７の電子ペーパー１７Ａに表示させる制御を行う。
画像情報取得部１８Ａ２のパターン情報抽出部１８Ａ２２が取得した画像情報を有する画像にチェックの模様とは異なるドットの模様が含まれる場合に、表示制御部１８Ａ４は、チェックの表示デザインとは異なるドットの表示デザインであって、ドットの模様に対応するドットの表示デザインを文字板１７の電子ペーパー１７Ａに表示させる制御を行う。
【００４３】
図６（Ｂ）に示す例では、画像情報取得部１８Ａ２が風景の画像情報を取得する場合に、パターン情報抽出部１８Ａ２２は、画像認識技術により、オブジェクトが何であるかを分析する。
オブジェクトが空である場合に、画像生成部１８Ａ３は、グラデーションの表示デザインを生成し、表示制御部１８Ａ４は、グラデーションの表示デザインを電子ペーパー１７Ａに表示させる制御を行う。
オブジェクトが花である場合に、画像生成部１８Ａ３は、花模様の表示デザインを生成し、表示制御部１８Ａ４は、花模様の表示デザインを電子ペーパー１７Ａに表示させる制御を行う。
オブジェクトがランドマークである場合に、画像生成部１８Ａ３は、そのランドマークを示すアイコンの表示デザインを生成し、表示制御部１８Ａ４は、そのランドマークを示すアイコンの表示デザインを電子ペーパー１７Ａに表示させる制御を行う。
【００４４】
つまり、図６（Ｂ）に示す例では、画像情報取得部１８Ａ２のパターン情報抽出部１８Ａ２２は、画像情報取得部１８Ａ２が取得した画像情報を有する画像に含まれるオブジェクトを識別する画像認識機能を有する。画像情報取得部１８Ａ２が取得した画像情報を有する画像に空が含まれる場合に、表示制御部１８Ａ４は、空に対応するグラデーションの表示デザインを文字板１７の電子ペーパー１７Ａに表示させる制御を行う。
画像情報取得部１８Ａ２のパターン情報抽出部１８Ａ２２が取得した画像情報を有する画像に空ではなく、花が含まれる場合に、表示制御部１８Ａ４は、グラデーションの表示デザインとは異なる花模様の表示デザインであって、オブジェクトとしての花に対応する花模様の表示デザインを文字板１７の電子ペーパー１７Ａに表示させる制御を行う。
【００４５】
図７はパターン情報抽出部１８Ａ２２によって抽出される輪郭情報と、画像生成部１８Ａ３によって生成される表示デザインとの対応関係を説明するための図である。
図７に示す例では、オブジェクトの輪郭が円形である（つまり、オブジェクトがドットである）ことを示す輪郭情報ＯＬ１が、ドットの表示デザインＤＳ１に対応している。オブジェクトの輪郭が三角形であることを示す輪郭情報ＯＬ２が、三角形状の表示デザインＤＳ２に対応している。オブジェクトの輪郭が矩形であることを示す輪郭情報ＯＬ３が、矩形状の表示デザインＤＳ３に対応している。オブジェクトの輪郭が星形であることを示す輪郭情報ＯＬ４が、星形状の表示デザインＤＳ４に対応している。オブジェクトがランドマークである場合の輪郭情報ＯＬ５が、そのランドマークを簡略的に示すアイコンの表示デザインＤＳ５に対応している。
【００４６】
図６および図７に示す例では、画像情報取得部１８Ａ２が取得した画像情報を有する画像にドットが含まれる場合に、表示制御部１８Ａ４は、ドットに対応する（詳細には、輪郭情報ＯＬ１に対応する）表示デザインＤＳ１を文字板１７の電子ペーパー１７Ａに表示させる制御を行う。
また、画像情報取得部１８Ａ２が取得した画像情報を有する画像にランドマークが含まれる場合に、表示制御部１８Ａ４は、表示デザインＤＳ１とは異なる表示デザインＤＳ５であって、ランドマークに対応するアイコンの表示デザインＤＳ５を文字板１７の電子ペーパー１７Ａに表示させる制御を行う。
つまり、図６および図７に示す例では、パターン情報抽出部１８Ａ２２が、画像認識技術を用いることによってオブジェックトを分析し、記憶部１８Ａ５が記憶している対応関係（図７参照）に含まれる輪郭情報ＯＬ１、…、ＯＬ５、…の中から適切な輪郭情報を選択する。画像生成部１８Ａ３は、パターン情報抽出部１８Ａ２２が選択した輪郭情報に対応する表示デザインを生成する。表示制御部１８Ａ４は、その表示デザインを文字板１７の電子ペーパー１７Ａに表示させる制御を行う。配色は図４および図５に示す第１例と同様の方法で設定される。
【００４７】
図８および図９は第１実施形態の時計システム１が適用された腕時計の第３例を説明するための図である。詳細には、図８（Ａ）は例えばユーザーによって一部が撮影されたＴシャツを示す図である。図８（Ｂ）は例えばユーザーが撮影したＴシャツの一部の画像ＩＭを示す図である。図９（Ａ）は電子ペーパー１７Ａによる表示が行われていない状態の文字板１７を示す図である。図９（Ｂ）は図８（Ｂ）に示す画像ＩＭ中の模様を再現した表示デザインが電子ペーパー１７Ａによって表示されている状態の文字板１７を示す図である。
図８および図９に示す例では、画像情報取得部１８Ａ２が取得した画像情報を有する画像ＩＭに、互いに近似した形状を有する複数のオブジェクトＯＢ１、ＯＢ２、ＯＢ３、ＯＢ４、ＯＢ５、ＯＢ６、…が含まれる。その結果、パターン情報抽出部１８Ａ２２は、複数のオブジェクトＯＢ１、ＯＢ２、ＯＢ３、ＯＢ４、ＯＢ５、ＯＢ６、…が模様であると判断する。また、パターン情報抽出部１８Ａ２２は、画像情報から模様情報を抽出する。
画像生成部１８Ａ３は、画像ＩＭ中の模様を再現した表示デザインを生成する。表示制御部１８Ａ４は、その表示デザインを文字板１７の電子ペーパー１７Ａに表示させる制御を行う。すなわち、表示制御部１８Ａ４は、その模様情報を反映させた表示を文字板１７の電子ペーパー１７Ａに行わせる制御を行う。その結果、電子ペーパー１７Ａには、画像ＩＭ中の模様を再現した表示デザインが表示される。
【００４８】
図１０は第１実施形態の時計システム１が適用された腕時計の第４例を説明するための図である。詳細には、図１０（Ａ）は時刻と明度との関係を示す図である。図１０（Ｂ）は季節と彩度との関係を示す図である。
図１０（Ａ）に示す例では、表示デザインが文字板１７の電子ペーパー１７Ａに表示される時刻に応じて、その表示デザインに対して配色される色の明度が異ならされる。具体的には、時刻０時から４時に、明度が標準値よりも低い値に設定される。時刻４時から１０時には、明度が標準値に設定される。時刻１０時から１４時には、明度が標準値よりも高い値に設定される。時刻１４時から１８時には、明度が標準値に設定される。時刻１８時から２４時には、明度が標準値よりも低い値に設定される。
つまり、図１０（Ａ）に示す例では、表示制御部１８Ａ４が、時刻０時から４時に、画像情報から抽出した色情報に基づいて、例えば第１の色を文字板１７の電子ペーパー１７Ａに表示させる制御を行う。時刻４時から１０時には、表示制御部１８Ａ４が、画像情報から抽出した色情報に基づいて、第１の色とは明度が異なる色を文字板１７の電子ペーパー１７Ａに表示させる制御を行う。
【００４９】
図１０（Ｂ）に示す例では、表示デザインが文字板１７の電子ペーパー１７Ａに表示される季節に応じて、その表示デザインに対して配色される色の彩度が異ならされる。具体的には、春に彩度が標準値に設定される。夏には、彩度が標準値よりも高い値に設定される。秋には、彩度が標準値に設定される。冬には、彩度が標準値よりも低い値に設定される。
つまり、図１０（Ｂ）に示す例では、表示制御部１８Ａ４が、春に、画像情報から抽出した色情報に基づいて、例えば第１の色を文字板１７の電子ペーパー１７Ａに表示させる制御を行う。夏には、表示制御部１８Ａ４が、画像情報から抽出した色情報に基づいて、第１の色とは彩度が異なる色を文字板１７の電子ペーパー１７Ａに表示させる制御を行う。
【００５０】
［第１実施形態のまとめ］
上述したように、第１実施形態の時計システム１は、時刻を表示可能な文字板１７と、画像情報を取得する画像情報取得部１８Ａ２と、文字板１７に時刻を表示させる制御を行う表示制御部１８Ａ４であって、画像情報取得部１８Ａ２が取得した画像情報から抽出した色情報に基づく色を文字板１７に表示させる制御を行う表示制御部１８Ａ４と、を備える。
そのため、第１実施形態の時計システム１によれば、周辺環境に応じた文字板のデザインを簡便に得ることができる。
【００５１】
また、第１実施形態の時計システム１は、画像情報に含まれる色情報を抽出する色情報抽出部１８Ａ２１であって、近似色毎にグルーピングする色情報抽出部１８Ａ２１をさらに備える。
そのため、第１実施形態の時計システム１では、表示可能な色の数が、画像に含まれる色の数よりも少ない文字板１７を用いることができる。
【００５２】
また、第１実施形態の時計システム１は、画像情報に含まれる輪郭情報を抽出する輪郭情報抽出部１８Ａ２２と、文字板１７に表示可能な複数の表示デザインを記憶する記憶部１８Ａ５と、をさらに備える。記憶部１８Ａ５は、輪郭情報と表示デザインとの対応関係を記憶する。表示制御部１８Ａ４は、輪郭情報抽出部１８Ａ２２が抽出する輪郭情報と、記憶部１８Ａ５が記憶する対応関係とに基づいて設定した表示デザインに対し、色情報に基づく色を配色することによって、着色された表示デザインを文字板１７に表示させる制御を行う。
そのため、第１実施形態の時計システム１では、輪郭情報と表示デザインとの対応関係を記憶する記憶部１８Ａ５が備えられていない場合よりも、画像情報に含まれる輪郭情報から表示デザインを設定する処理を簡便にすることができ、周辺環境に応じた文字板のデザインを簡便に得ることができる。
【００５３】
また、第１実施形態の時計システム１では、複数の表示デザインに、少なくとも表示デザイン１７Ａ１と、表示デザイン１７Ａ１の面積よりも小さい面積を有する表示デザイン１７Ａ２とが含まれる。表示デザイン１７Ａ１と表示デザイン１７Ａ２とが文字板１７に表示される場合に、画像情報取得部１８Ａ２が取得した画像情報を有する画像ＩＭには、表示制御部１８Ａ４によって表示デザイン１７Ａ１に配色される色Ａと、表示制御部１８Ａ４によって表示デザイン１７Ａ２に配色される色Ｂとが含まれている。画像ＩＭ中における色Ａの割合は、画像ＩＭ中における色Ｂの割合よりも大きい。
このようにすることにより、第１実施形態の時計システム１は、画像の雰囲気と同様の雰囲気を文字板１７に再現することができる。
【００５４】
また、第１実施形態の時計システム１では、画像情報取得部１８Ａ２は、画像情報取得部１８Ａ２が取得した画像情報を有する画像に含まれるオブジェクトを識別する画像認識機能を有する。画像情報取得部１８Ａ２が取得した画像情報を有する画像に第１オブジェクト（例えばチェックの模様）が含まれる場合に、表示制御部１８Ａ４は、第１オブジェクトに対応する第３表示デザイン（例えばチェックの表示デザイン）を文字板１７に表示させる制御を行う。画像情報取得部１８Ａ２が取得した画像情報を有する画像に第１オブジェクトとは異なる第２オブジェクト（例えばドットの模様）が含まれる場合に、表示制御部１８Ａ４は、第３表示デザインとは異なる第４表示デザイン（例えばドットの表示デザイン）であって、第２オブジェクトに対応する第４表示デザインを文字板１７に表示させる制御を行う。
このように、画像認識技術を用いる第１実施形態の時計システム１は、画像情報取得部１８Ａ２が取得する画像情報を異ならせることによって、表示制御部１８Ａ４が文字板１７に表示させる表示デザインを異ならせることができる。つまり、画像認識技術が用いられない場合よりも簡便に文字板のデザインを変更することができる。
【００５５】
また、第１実施形態の時計システム１では、画像情報取得部１８Ａ２は、画像情報取得部１８Ａ２が取得した画像情報を有する画像に、互いに近似した形状を有する複数のオブジェクトＯＢ１、ＯＢ２、ＯＢ３、ＯＢ４、ＯＢ５、ＯＢ６、…が含まれる場合に、複数のオブジェクトＯＢ１、ＯＢ２、ＯＢ３、ＯＢ４、ＯＢ５、ＯＢ６、…が模様であると判断する機能（パターン情報抽出部１８Ａ２２）を有する。複数のオブジェクトが模様であると画像情報取得部１８Ａ２が判断した場合に、画像情報取得部１８Ａ２は、画像情報から模様情報を抽出し、表示制御部１８Ａ４は、模様情報を反映させた表示を文字板１７に行わせる制御を行う。
つまり、第１実施形態の時計システム１では、画像に含まれる個々のオブジェクトＯＢ１、ＯＢ２、ＯＢ３、ＯＢ４、ＯＢ５、ＯＢ６、…を忠実に再現した表示デザインは生成されず、表示もされない。
そのため、第１実施形態の時計システム１では、画像に含まれる個々のオブジェクトＯＢ１、ＯＢ２、ＯＢ３、ＯＢ４、ＯＢ５、ＯＢ６、…が忠実に再現される場合よりも簡便に文字板のデザインを得ることができる。
【００５６】
また、第１実施形態の時計システム１では、表示制御部１８Ａ４は、第１の時刻または季節に、画像情報から抽出した色情報に基づいて、第１の色を文字板１７に表示させる制御を行い、第１の時刻または季節とは異なる第２の時刻または季節に、画像情報から抽出した色情報に基づいて、第１の色とは彩度または明度が異なる第２の色を文字板１７に表示させる制御を行う。
そのため、第１実施形態の時計システム１では、ユーザーによる操作を必要とすることなく、時刻の推移に応じて、あるいは、季節の変化に応じて文字板１７の表示を変更することができる。
【００５７】
また、第１実施形態の時計システム１は、見切部１１Ａと、時刻を表示する指針１５および文字板１７と、指針１５を駆動するモータ１８Ｂと、を備えている。文字板１７は、電子ペーパー１７Ａを有する。見切部１１Ａと指針１５と電子ペーパー１７Ａとモータ１８Ｂとは、見切部１１Ａ、指針１５、電子ペーパー１７Ａ、モータ１８Ｂの順に配列されている。
そのため、第１実施形態の時計システム１では、見切部１１Ａの内側で指針１５の動きが電子ペーパー１７Ａ上で映える。そのため、ユーザーの視認性を向上させることができ、時計システム１に対するユーザーの満足度を向上させることができる。
【００５８】
＜第２実施形態＞
以下、本発明の時計システムおよび時計システムの表示方法の第２実施形態について、図面を参照しつつ説明する。
第２実施形態の時計システム１は、後述する点を除き、上述した第１実施形態の時計システム１と同様に構成されている。従って、第２実施形態の時計システム１によれば、後述する点を除き、上述した第１実施形態の時計システム１と同様の効果を奏することができる。
【００５９】
図１１は第２実施形態の時計システム１の概略構成の一例を示す図である。
図１１に示す例では、時計システム１が、時計本体部１−１と、時計本体部１−１と通信可能な端末装置１−２とを備えている。端末装置１−２は、例えばスマートフォンである。端末装置１−２は、制御部１−２Ａと、タッチパネル１−２Ｂと、撮影部１−２Ｃとを備えている。制御部１−２Ａは、処理部１−２Ａ１と、画像情報取得部１−２Ａ２と、画像生成部１−２Ａ３と、記憶部１−２Ａ４と、通信部１−２Ａ５とを備えている。
図１１に示す例では、画像情報取得部１−２Ａ２と、画像生成部１−２Ａ３とが端末装置１−２に備えられているが、他の例では、画像情報取得部１−２Ａ２と、画像生成部１−２Ａ３とが端末装置１−２の外部（例えばクラウド上）に備えられていてもよい。
【００６０】
処理部１−２Ａ１は、タッチパネル１−２Ｂおよび撮影部１−２Ｃの制御などを行う。タッチパネル１−２Ｂは、表示装置としての機能と、ユーザーによる操作を受け付ける入力装置としての機能とを有する。撮影部１−２Ｃは、画像の撮影を行う。
画像情報取得部１−２Ａ２は、撮影部１−２Ｃが撮影した画像に含まれる画像情報を取得する。画像情報取得部１−２Ａ２は、色情報抽出部１−２Ａ２１と、パターン情報抽出部１−２Ａ２２とを備えている。色情報抽出部１−２Ａ２１は、図１に示す色情報抽出部１８Ａ２１と同様の機能を有する。パターン情報抽出部１−２Ａ２２は、図１に示すパターン情報抽出部１８Ａ２２と同様の機能を有する。
画像生成部１−２Ａ３は、色情報抽出部１−２Ａ２１によって抽出された色情報、パターン情報抽出部１−２Ａ２２によって抽出された輪郭情報、模様情報などに基づいて、表示デザインを生成する。つまり、画像生成部１−２Ａ３は、図１に示す画像生成部１８Ａ３と同様の機能を有する。
【００６１】
記憶部１−２Ａ４は、画像生成部１−２Ａ３が生成した表示デザインを記憶する。
通信部１−２Ａ５は、時計本体部１−１の通信部１８Ａ６との通信を行う。通信部１−２Ａ５は、画像生成部１−２Ａ３が生成した表示デザインに関する情報である表示デザイン情報などを時計本体部１−１に送信する。
【００６２】
時計本体部１−１は、指針１５と、文字板１７と、モジュール１８とを備えている。指針１５は、図１に示す指針１５と同様に構成されている。文字板１７は、図１に示す文字板１７と同様に構成されている。モジュール１８は、図１に示すモジュール１８と同様に、制御部１８Ａと、指針１５を駆動するモータ１８Ｂとを備えている。モータ１８Ｂは、図１に示すモータ１８Ｂと同様に構成されている。
【００６３】
上述したように、図１に示す例では、制御部１８Ａが、処理部１８Ａ１と、画像情報取得部１８Ａ２と、画像生成部１８Ａ３と、表示制御部１８Ａ４と、記憶部１８Ａ５と、通信部１８Ａ６とを備えている。一方、図１１に示す例では、制御部１８Ａが、画像情報取得部と、画像生成部とを備えておらず、処理部１８Ａ１と、表示制御部１８Ａ４と、記憶部１８Ａ５と、通信部１８Ａ６とを備えている。
【００６４】
図１１に示す例では、処理部１８Ａ１が、図１に示す処理部１８Ａ１と同様に構成されている。
通信部１８Ａ６は、端末装置１−２の通信部１−２Ａ５が送信した表示デザイン情報などを受信する。
記憶部１８Ａ５は、通信部１８Ａ６が受信した表示デザイン情報を有する表示デザインを記憶する。つまり、記憶部１８Ａ５は、文字板１７の電子ペーパー１７Ａに表示可能な複数の表示デザインを記憶する。詳細には、記憶部１８Ａ５は、パターン情報抽出部１−２Ａ２２が抽出する輪郭情報と、画像生成部１−２Ａ３が生成する表示デザインとの対応関係を記憶する。
つまり、図１１に示す例では、画像生成部１−２Ａ３が生成した表示デザインが、記憶部１８Ａ５に記憶されている。
他の例では、ユーザーが事前に選択した表示デザインが、記憶部１８Ａ５に記憶されてもよい。端末装置１−２のタッチパネル１−２Ｂは、文字板１７の電子ペーパー１７Ａに表示される表示デザインのユーザーによる選択操作を予め受け付ける設定部として機能する。
【００６５】
図１１に示す例では、図１に示す例と同様に、表示制御部１８Ａ４が、文字板１７の電子ペーパー１７Ａに時刻を表示させる制御を行う。
また、表示制御部１８Ａ４は、端末装置１−２の画像生成部１−２Ａ３によって生成され、記憶部１８Ａ５に記憶されている表示デザインを文字板１７の電子ペーパー１７Ａに表示させる制御を行う。その結果、画像生成部１−２Ａ３によって表示デザイン上に配置された色も、文字板１７の電子ペーパー１７Ａに表示される。つまり、表示制御部１８Ａ４は、着色された表示デザインを文字板１７の電子ペーパー１７Ａに表示させる制御を行う。すなわち、表示制御部１８Ａ４は、色情報抽出部１−２Ａ２１によって抽出された色情報に基づく色を文字板１７の電子ペーパー１７Ａに表示させる制御を行う。
図１１に示す例では、図１に示す例とは異なり、表示制御部１８Ａ４が文字板１７の電子ペーパー１７Ａに表示させる表示デザインは、時計本体部１−１が端末装置１−２から受信した表示デザイン情報に基づくものである。
【００６６】
図１１に示す例では、上述した画像生成部１−２Ａ３は、パターン情報抽出部１−２Ａ２２が抽出する輪郭情報と、記憶部１−２Ａ４が記憶する対応関係とに基づいて、表示デザインを設定する。また、画像生成部１−２Ａ３は、その表示デザインに対し、色情報抽出部１−２Ａ２１によって抽出された色情報に基づく色を配色する。また、上述した表示制御部１８Ａ４は、着色された表示デザインを文字板１７の電子ペーパー１７Ａに表示させる。
【００６７】
図１２は第２実施形態の時計システム１において実行される処理を説明するためのシーケンス図である。
（ステップＳ１０）処理部１８Ａ１は、指針１５を制御し、指針１５および文字板１７に時刻を表示させる。
（ステップＳ１１）撮影部１−２Ｃは、画像の撮影を行う。
（ステップＳ１２）撮影部１−２Ｃは、画像情報を色情報抽出部１−２Ａ２１に転送する。
（ステップＳ１３）色情報抽出部１−２Ａ２１は、画像情報を取得する。
（ステップＳ１４）撮影部１−２Ｃは、画像情報をパターン報抽出部１−２Ａ２２に転送する。
（ステップＳ１５）パターン情報抽出部１−２Ａ２２は、画像情報を取得する。
（ステップＳ１６）色情報抽出部１−２Ａ２１は、画像情報から色情報を抽出する。
（ステップＳ１７）色情報抽出部１−２Ａ２１は、色情報を画像生成部１−２Ａ３に転送する。
（ステップＳ１８）パターン情報抽出部１−２Ａ２２は、画像情報からパターン情報を抽出する。
（ステップＳ１９）パターン情報抽出部１−２Ａ２２は、パターン情報を画像生成部１−２Ａ３に転送する。
【００６８】
（ステップＳ２０）画像生成部１−２Ａ３は、色情報、パターン情報などに基づいて、表示デザインを生成する。
（ステップＳ２１）画像生成部１−２Ａ３は、表示デザイン情報を通信部１−２Ａ５に転送する。
（ステップＳ２２）通信部１−２Ａ５は、表示デザイン情報を通信部１８Ａ６に転送する。
（ステップＳ２３）通信部１８Ａ６は、表示デザイン情報を表示制御部１８Ａ４に転送する。
（ステップＳ２４）表示制御部１８Ａ４は、表示デザインを文字板１７の電子ペーパー１７Ａに表示させる制御を行う。詳細には、表示制御部１８Ａ４は、色情報抽出部１−２Ａ２１によって抽出された色情報に基づく色を文字板１７の電子ペーパー１７Ａに表示させる。
【００６９】
なお、図１２に示す処理の順序は、適切な処理が行われる範囲において、入れ替わってもよい。
【００７０】
＜第３実施形態＞
以下、本発明の時計システムおよび時計システムの表示方法の第３実施形態について説明する。
第３実施形態の時計システム１は、外部画像情報を取得する外部情報取得部と、前記外部画像情報から状況設定に応じた画像情報を抽出し、当該画像情報から表示すべき表示画像情報に加工する画像加工部と、時刻を表示可能な文字板であって、時刻の表示とともに前記表示画像情報に応じた画像を表示する文字板と、を備える。
【００７１】
なお、時計システム１の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。
【００７２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７３】
以上、本発明の時計システムおよび時計システムの表示方法の実施形態について図面を参照して詳述してきたが、具体的な構成はこの実施形態に限られるものではなく、この発明の要旨を逸脱しない範囲の設計変更等も含まれる。
【符号の説明】
【００７４】
１…時計システム、１−１…時計本体部、１０…カバーガラス、１１…ベゼル、１１Ａ…見切部、１２Ａ…バンド、１２Ａ１…電子ペーパー、１２Ｂ…バンド、１３…外側ケース、１３Ａ…電子ペーパー、１３Ｂ…電子ペーパー、１４…内側ケース、１５…指針、１５Ａ…時針、１５Ｂ…分針、１５Ｃ…秒針、１６…透明テクスチャダイヤル、１７…文字板、１７Ａ…電子ペーパー、１７Ａ１…表示デザイン、１７Ａ２…表示デザイン、１７Ａ３…表示デザイン、１７Ａ４…表示デザイン、１８…モジュール、１８Ａ…制御部、１８Ａ１…処理部、１８Ａ２…画像情報取得部、１８Ａ２１…色情報抽出部、１８Ａ２２…パターン情報抽出部、１８Ａ３…画像生成部、１８Ａ４…表示制御部、１８Ａ５…記憶部、１８Ａ６…通信部、１８Ｂ…モータ、１９…裏蓋、１−２…端末装置、１−２Ａ…制御部、１−２Ａ１…処理部、１−２Ａ２…画像情報取得部、１−２Ａ２１…色情報抽出部、１−２Ａ２２…パターン情報抽出部、１−２Ａ３…画像生成部、１−２Ａ４…記憶部、１−２Ａ５…通信部、１−２Ｂ…タッチパネル、１−２Ｃ…撮影部
【図１】
2019086341.tif 000003
【図２】
2019086341.tif 000004
【図３】
2019086341.tif 000005
【図４】
2019086341.tif 000006
【図５】
2019086341.tif 000007
【図６】
2019086341.tif 000008
【図７】
2019086341.tif 000009
【図８】
2019086341.tif 000010
【図９】
2019086341.tif 000011
【図１０】
2019086341.tif 000012
【図１１】
2019086341.tif 000013
【図１２】
2019086341.tif 000014